(57)【要約】  電子機器は、本体と、当該本体を体の一部に装着可能なバンドとを有する。本体は、第１及び第２検知部と、制御部とを有する。第１検知部は、本体の上面の照度を検知する。第２検知部は、第１検知部の位置からバンドの短手方向に離れた位置に存在し、本体の上面の照度を検知する。制御部は、第１検知部で検知された第１照度および第２検知部で検知された第２照度の少なくとも一方が変化したと判断したとき、所定の処理を実行する。
2017204301.tif 000002
【特許請求の範囲】
【請求項１】
本体と、
前記本体を体の一部に装着可能なバンドと
を有し、
前記本体は、
前記本体の上面の照度を検知する第１検知部と、
前記第１検知部の位置から前記バンドの短手方向に離れた位置に存在し、前記上面の照度を検知する第２検知部と、
前記第１検知部で検知された第１照度および前記第２検知部で検知された第２照度の少なくとも一方が変化したと判断したとき、所定の処理を実行する制御部と
を有する、電子機器。
【請求項２】
前記第１検知部および前記第２検知部のうちの少なくとも一方は、光を受けて発電を行う光電変換部を有し、
前記制御部は、前記光電変換部での発電量が変化したとき、照度が変化したと判断する、
請求項１に記載の電子機器。
【請求項３】
前記光電変換部は、ディスプレイ上に重ねられており、波長が３６０ｎｍから８３０ｎｍの光の少なくとも一部を透過させる、
請求項２に記載の電子機器。
【請求項４】
前記第１検知部または前記第２検知部のうちの少なくとも一方は、フォトダイオードを含む、
請求項１に記載の電子機器。
【請求項５】
ディスプレイを更に有し、
前記制御部は、
前記第１照度が第１閾値以上であり、且つ前記第２照度が第２閾値以上から当該第２閾値未満に変化したと判断したとき、前記所定の処理として前記ディスプレイをオフにする、
請求項１乃至４のいずれか一つに記載の電子機器。
【請求項６】
ディスプレイを更に有し、
前記制御部は、
前記第１照度が第１閾値以上であり、且つ前記第２照度が第２閾値未満から当該第２閾値以上に変化したと判断したとき、前記所定の処理として前記ディスプレイをオンにする、
請求項１乃至４のいずれか一つに記載の電子機器。
【請求項７】
前記制御部は、
前記第１照度が第１閾値以上から当該第１閾値未満に変化した後、前記第２照度が第２閾値以上から当該第２閾値未満に変化したと判断したとき、前記所定の処理を実行する、
請求項１乃至４のいずれか一つに記載の電子機器。
【請求項８】
ディスプレイを更に有し、
前記所定の処理は、前記ディスプレイをオン状態からオフ状態へ変化させる処理を含む、
請求項７に記載の電子機器。
【請求項９】
前記本体はマイクを更に有し、
前記所定の処理は、前記マイクの音の感度を上げる処理を含む、
請求項７または８に記載の電子機器。
【請求項１０】
前記本体は発光部およびバイブレータを更に有し、
前記所定の処理は、前記発光部の発光により報知を行う第１モードから、前記バイブレータの振動により報知を行う第２モードへ変化させる処理を含む、
請求項７乃至９のいずれか一つに記載の電子機器。
【請求項１１】
前記制御部は、
前記第１照度が第１閾値未満から当該第１閾値以上に変化した後、前記第２照度が第２閾値未満から当該第２閾値以上に変化したと判断したとき、前記所定の処理を実行する、
請求項１乃至４または７乃至１０のいずれか一つに記載の電子機器。
【請求項１２】
前記本体はディスプレイを更に有し、
前記所定の処理は、前記ディスプレイをオフ状態からオン状態へ変化させる処理を含む、
請求項１１に記載の電子機器。
【請求項１３】
前記本体はマイクを更に有し、
前記所定の処理は、前記マイクの音の感度を下げる処理を含む、
請求項１１または１２に記載の電子機器。
【請求項１４】
前記本体は発光部およびバイブレータを更に有し、
前記所定の処理は、前記バイブレータの振動により報知を行う第１モードから、前記発光部の発光により報知を行う第２モードへ変化させる処理を含む、
請求項１１乃至１３のいずれか一つに記載の電子機器。
【請求項１５】
前記制御部は、
前記第１照度が前記第１閾値以上から当該第１閾値未満に変化した後、所定時間内に前記第２照度が前記第２閾値以上から当該第２閾値未満に変化したと判断したとき、前記所定の処理を実行する、
請求項７乃至１４のいずれか一つに記載の電子機器。
【請求項１６】
前記本体が、左手に装着されているとき、
前記第１検知部は、前記左手の肘側に位置し、
前記第２検知部は、前記左手の指側に位置する、
請求項１乃至１５のいずれか一つに記載の電子機器。
【請求項１７】
本体と、前記本体を体の一部に装着可能なバンドとを有し、前記本体が、前記本体の上面の照度を検知する第１検知部と、前記第１検知部の位置から前記バンドの短手方向に離れた位置に存在し、前記上面の照度を検知する第２検知部とを有する電子機器に、
前記第１検知部で検知された第１照度および前記第２検知部で検知された第２照度の少なくとも一方が変化したと判断したとき、所定の処理を実行させるための制御プログラム。
【発明の詳細な説明】
【技術分野】
【０００１】
本開示は、電子機器に関する。
【背景技術】
【０００２】
従来、太陽光を受けて発電する携帯通信機器があった。
【発明の概要】
【０００３】
一つの態様に係る電子機器は、本体と、当該本体を体の一部に装着可能なバンドとを有する。本体は、第１及び第２検知部と、制御部とを有する。第１検知部は、本体の上面の照度を検知する。第２検知部は、第１検知部の位置からバンドの短手方向に離れた位置に存在し、本体の上面の照度を検知する。制御部は、第１検知部で検知された第１照度および第２検知部で検知された第２照度の少なくとも一方が変化したと判断したとき、所定の処理を実行する。
【０００４】
一つの態様に係る制御プログラムは、電子機器を制御するための制御プログラムである。電子機器は、本体と、当該本体を体の一部に装着可能なバンドとを有する。本体は第１及び第２検知部を有する。第１検知部は、本体の上面の照度を検知する。第２検知部は、第１検知部の位置からバンドの短手方向に離れた位置に存在し、本体の上面の照度を検知する。制御プログラムは、電子機器に、第１検知部で検知された第１照度および第２検知部で検知された第２照度の少なくとも一方が変化したと判断したとき、所定の処理を実行させるためのものである。
【図面の簡単な説明】
【０００５】
【図１】実施例に係るスマートウォッチの機能構成を示すブロック図である。
【図２】実施例に係るスマートウォッチの外観図である。
【図３】実施例に係るディスプレイおよびタッチパネル周辺の構造を示す図である。
【図４】実施例に係るスマートウォッチの太陽光パネルの配置の一例を示す図である。
【図５】実施例に係る処理の流れの一例を示すフロー図である。
【図６】実施例に係るスマートウォッチの太陽光パネルの配置の一例を示す図である。
【図７】実施例に係るスマートウォッチの太陽光パネルの配置の一例を示す図である。
【図８】実施例に係るスマートウォッチの太陽光パネルの配置の一例を示す図である。
【図９】実施例に係るスマートウォッチの太陽光パネルの配置の一例を示す図である。
【図１０】実施例に係るスマートウォッチの太陽光パネルの配置の一例を示す図である。
【図１１】実施例に係るスマートウォッチの照度センサの配置の一例を示す図である。
【図１２】実施例に係る処理の流れの一例を示すフロー図である。
【図１３】実施例に係る電子機器の一例を示す図である。
【図１４】実施例に係る電子機器の一例を示す図である。
【図１５】実施例に係る電子機器の一例を示す図である。
【発明を実施するための形態】
【０００６】
電子機器、制御方法及び制御プログラムを実施するための複数の実施例を、図面を参照しつつ詳細に説明する。以下では、電子機器の一例として、手首に装着する腕時計型デバイスであるスマートウォッチ１を取り上げて説明する。
【０００７】
図１、図２を参照しつつ、スマートウォッチ１の構成の一例を説明する。図１は、スマートウォッチ１の構成の一例を示すブロック図である。図２はスマートウォッチ１の一例の外観図である。スマートウォッチ１は、本体１Ａと、バンド１Ｂと、を有する。本体１Ａは、タッチパネル２Ａと、ディスプレイ２Ｂと、太陽光パネル２Ｃと、ボタン３と、バッテリ４と、照度センサ５Ａと、加速度センサ５Ｂと、ジャイロセンサ５Ｃと、通信ユニット６と、マイク７Ａと、スピーカ７Ｂと、バイブレータ８Ａと、ＬＥＤ８Ｂと、ストレージ９と、プロセッサ１０と、を有する。バンド１Ｂは、本体１Ａの側面に取り付けられる。
【０００８】
本実施例のスマートウォッチ１において、図３に示すように太陽光パネル２Ｃはタッチパネル２Ａおよびディスプレイ２Ｂの間に位置する。タッチパネル２Ａ、ディスプレイ２Ｂおよび太陽光パネル２Ｃはスマートウォッチ１の上面に配置される。しかしながら必ずしも本構成に限られない。タッチパネル２Ａとディスプレイ２Ｂのそれぞれがスマートウォッチ１の上面とは別の面に設けられてもよい。また、スマートウォッチ１は、複数のタッチパネル２Ａと複数のディスプレイ２Ｂを備えてもよい。また、タッチパネル２Ａ及びディスプレイ２Ｂは、入力機能と表示機能とを併せ持ったインセル型ディスプレイであってもよい。
【０００９】
タッチパネル２Ａの方式としては、静電容量方式、電磁誘導方式、表面弾性波方式、感圧方式、液抵抗膜方式あるいは赤外線方式などの方式が任意で用いられる。タッチパネル２Ａは、指またはスタイラスペンなどの操作子の接触および近接を検知することが可能である。これにより、タッチパネル２Ａは、スマートウォッチ１に対するユーザの操作を識別し、識別した操作に対応する信号をプロセッサ１０に送ることが可能である。
【００１０】
ディスプレイ２Ｂは、画像を表示できる。ユーザはディスプレイ２Ｂに表示された画像を見ることによりスマートウォッチ１の状態を確認することができる。ディスプレイ２Ｂとしては、例えば、液晶ディスプレイ、有機ＥＬディスプレイ、無機ＥＬディスプレイあるいは電子ペーパー等の表示デバイスが用いられる。またはディスプレイ２Ｂは、単一の表示デバイスでなく多数の発光素子の集まりであってもよい。
【００１１】
太陽光パネル２Ｃは、光を吸収して発電することが可能である。太陽光パネル２Ｃが吸収する光は、人の目における可視光線（３６０ｎｍ〜８３０ｎｍ）であってもよいし、不可視光線であってもよい。太陽光パネル２Ｃをタッチパネル２Ａおよびディスプレイ２Ｂ上に重ねる場合、タッチパネル２Ａおよび太陽光パネル２Ｃを通してディスプレイ２Ｂを視認できるようにするため、タッチパネル２Ａおよび太陽光パネル２Ｃは可視光線の少なくとも一部を透過させるパネルであってもよい。これによると、光１２が照射されたとき、光１２はタッチパネル２Ａおよび太陽光パネル２Ｃを通してディスプレイ２Ｂに照射され、光１２のうちディスプレイ２Ｂに反射した光は太陽光パネル２Ｃおよびタッチパネル２Ａを通して外部に放出される。当該放出された光により、スマートウォッチ１のユーザはディスプレイ２Ｂに表示された画像を見ることができる。またディスプレイ２Ｂが液晶ディスプレイである場合には、ディスプレイ２Ｂはバックライトを含んでもよい。ディスプレイ２Ｂがバックライトにより照らされた場合には、同様にディスプレイ２Ｂからの光は太陽光パネル２Ｃおよびタッチパネル２Ａを通して外部に放出される。また、ディスプレイ２Ｂが有機ＥＬディスプレイ等の自発光ディスプレイである場合にも、ディスプレイ２Ｂからの光は太陽光パネル２Ｃおよびタッチパネル２Ａを通して外部に放出される。
【００１２】
またスマートウォッチ１は、複数の太陽光パネル２Ｃを備えてもよい。本実施例に係るスマートウォッチ１では、図４に示すように、９つの太陽光パネル２Ｃがディスプレイ２Ｂ上に重ねられている。しかしながら、太陽光パネル２Ｃの個数は、必ずしも９つである必要はない。太陽光パネル９Ｃの個数は、９個よりも多い数でもよいし、９個よりも少ない数でもよい。また太陽光パネル２Ｃは、必ずしもディスプレイ２Ｂ上に重ねられる必要はない。例えば、太陽光パネル２Ｃは、バンド１Ｂまたはベゼル１Ｃに配置されてもよく、別の場所に配置されてもよい。太陽光パネル２Ｃは、照射される光が強いほど大きい電流を発生させるため、照度を検知する検知部として利用できる。太陽光パネル２Ｃでの発電量は、当該太陽光パネル２Ｃで検知された照度であると言える。
【００１３】
なお、図４は、太陽光パネル２Ｃの配置の一例を説明するための図である。図４では、図２に示した照度センサ５Ａ、マイク７Ａ、スピーカ７Ｂ、ＬＥＤ８Ｂ等の図示は省略されている。図６〜図１１でも、特に説明する必要のない構成は図示せず省略する。
【００１４】
本体１Ａは、スマートウォッチ１に備えられるセンサ等の電子部品を収容する。本体１Ａは例えば略直方体の形状で樹脂により形成される。しかしながら本体１Ａの形状および材質はこれに限られない。例えば本体１Ａの形状は円盤状等であってもよい。また本体１Ａの材質には、金属、セラミックまたはガラス等が用いられてもよいし、それらの組み合わせが用いられてもよい。
【００１５】
本明細書において、上面とは、本体１Ａにおいてタッチパネル２Ａ、ディスプレイ２Ｂおよび太陽光パネル２Ｃが配置されている面である。上面は、タッチパネル２Ａ、ディスプレイ２Ｂおよび太陽光パネル２Ｃの配置されている領域に限定されず、例えばベゼル１Ｃまでを含んでもよい。また上面は必ずしも平面である必要はなく、湾曲していてもよい。ユーザがスマートウォッチ１を腕に装着したとき、本体１Ａの上面は外部に露出する。したがって、ユーザは、上面に配置されたディスプレイ２Ｂに表示された情報を視認することができる。太陽光パネル２Ｃは、本体１Ａの上面の照度を検出することができると言える。
【００１６】
本体１Ａには、バンド１Ｂが取り付けられる。バンド１Ｂは、曲げられて輪の形状を作ることが可能である。バンド１Ｂは、スマートウォッチ１をユーザの腕に装着するために用いられる。バンド１Ｂは帯状の形状であり、スマートウォッチ１の本体１Ａの側面から延びる。バンド１Ｂは２つに別れていてもよいし、一つであってもよい。また、バンド１Ｂには、スマートウォッチ１の本体１Ａがはめ込まれてもよい。バンド１Ｂの材質は、革でもよく、金属でもよく、そのほかの材質でもよい。バンド１Ｂは、本体１Ａに着脱可能に取り付けられ、交換可能であってもよい。またバンド１Ｂの内部に種々のセンサまたはバッテリ４等が設けられてもよい。この場合、バンド１Ｂがスマートウォッチ１の本体１Ａの側面に取り付けることにより、スマートウォッチ１において追加の機能が実現されてもよい。
【００１７】
本明細書において、バンド１Ｂの長手方向とは、バンド１Ｂの長さ方向であり、バンド１Ｂをまっすぐに伸ばした状態において、バンド１Ｂの延びる方向を指す。また、バンド１Ｂの短手方向とは、バンド１Ｂの幅方向であり、長手方向とは直角の方向を指す。つまり短手方向とは、スマートウォッチ１を腕に装着した際に腕の延びる方向である。
【００１８】
図示すると、長手方向は図２および図４等に記載のＹ方向であり、短手方向とは図２および図４等に記載のＸ方向である。
【００１９】
またバンド１Ｂは、必ずしも本体１Ａと着脱が可能な別体である必要はなく、本体１Ａと一体であってもよい。
【００２０】
ボタン３は、本体１Ａに設けられる。ボタン３は、押下されることにより、ユーザからの種々の入力を受け付けることが可能である。ボタン３は、例えば、スマートウォッチ１に対する電源のｏｎ操作またはｏｆｆ操作を受け付ける。また、ボタン３は、ディスプレイ２Ｂのオン状態からオフ状態への切り替えの操作と、ディスプレイ２Ｂのオフ状態からオン状態への切り替えの操作とを受け付ける。また、ボタン３は、音量調整操作などを受け付ける。ボタン３の数は単数でも複数でもよい。ボタン３は、タクトスイッチまたはメンブレンスイッチを使った物理キーであってもよい。ボタン３の構造は、静電容量方式または感圧方式のセンサを用いて指またはスタイラスペン等の操作子の接触または近接を検出する構造でもよい。またボタン３はタッチパネル２Ａの一部を使い設けられたソフトキーであってもよい。
【００２１】
バッテリ４は、スマートウォッチ１の各部に電力を供給することが可能である。本実施例のスマートウォッチ１は、太陽光パネル２Ｃが発電した電力をバッテリ４の充電に用いることができる。
【００２２】
照度センサ５Ａはスマートウォッチ１の上面に位置する。照度センサ５Ａは、当該照度センサ５Ａの周囲の照度を検出することが可能である。具体的には、照度センサ５Ａは、スマートウォッチ１の上面の照度を検出することが可能である。照度センサ５Ａは、ディスプレイ２Ｂの明るさを制御するために用いられる。照度とは、例えば光の強さ、明るさおよび輝度等である。照度センサ５Ａが検出する照度が高くなるほど、ディスプレイ２Ｂの視認性向上のため、プロセッサ１０は、ディスプレイ２Ｂを明るくする。また照度センサ５Ａは照度センサ５Ａへの物の近接を検知する近接センサの機能を備えていてもよい。
【００２３】
照度センサ５Ａはフォトダイオードを含む。フォトダイオードは強い光が当たるほど、大きい電流を発生させるため、照度センサ５Ａは照度を検知する検知部として利用できる。照度センサ５Ａのフォトダイオードが発生させた電流値に基づき、プロセッサ１０は照度を算出できる。スマートウォッチ１は、複数の照度センサを備えてもよい。
【００２４】
加速度センサ５Ｂは、スマートウォッチ１に作用する加速度の方向および大きさを検出することが可能である。
【００２５】
ジャイロセンサ５Ｃは、スマートウォッチ１の角速度を検出することが可能である。
【００２６】
加速度センサ５Ｂあるいはジャイロセンサ５Ｃの信号に基づき、プロセッサ１０はスマートウォッチ１の本体１Ａの姿勢の変化を検出できる。
【００２７】
通信ユニット６は、通信のための信号を変換する回路および当該信号を送受信するためのアンテナを備える。通信ユニット６が使用する通信規格は、例えば無線通信である。当該通信機器は、例えば、２Ｇ、３Ｇ、ＬＴＥ（Ｌｏｎｇ  Ｔｅｒｍ  Ｅｖｏｌｕｔｉｏｎ）、４Ｇ、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、Ｂｌｕｅｔｏｏｔｈ（登録商標）、ＩＥＥＥ８０２．１１、ＮＦＣ（Ｎｅａｒ  Ｆｉｅｌｄ  Ｃｏｍｍｕｎｉｃａｔｉｏｎ）、ＩｒＤＡ（Ｉｎｆｒａｒｅｄ  Ｄａｔａ  Ａｓｓｏｃｉａｔｉｏｎ）およびＺｉｇｂｅｅ（登録商標）等を含む。当該通信規格はこれに限られず種々の無線通信方式を含む。
【００２８】
通信ユニット６はインターネット通信を利用することにより、天気情報および日時情報を含む種々の情報の取得ができる。また、スマートウォッチ１は、通信ユニット６が２Ｇ、３Ｇ、ＬＴＥ等の方式により基地局と通信できる場合、通信ユニット６が接続している基地局を元に位置情報を推測できる。またはスマートウォッチ１は、基地局と通信できる、スマートフォン等の別の通信機器と通信可能であれば、同様に基地局の情報から位置情報を推測できる。
【００２９】
マイク７Ａは音の入力を受け付けることが可能である。ユーザの声および周囲の環境音等はマイク７Ａによって音信号へ変換される。マイク７Ａの数は一つとは限らず複数であってもよい。
【００３０】
スピーカ７Ｂは音を出力することが可能である。スピーカ７Ｂは、動画の音声、音楽およびアラーム音等を出力することが可能である。また、スピーカ７Ｂはハンズフリー通話時の通話音声を出力することも可能である。
【００３１】
バイブレータ８Ａは偏心モータおよび圧電素子等を有する。バイブレータ８Ａはスマートウォッチ１を振動させることにより、ユーザに対する報知等を行うことが可能である。
【００３２】
ＬＥＤ８Ｂは、発光することによって、ユーザに対する報知等を行うことが可能である。
【００３３】
ストレージ９は例えばフラッシュメモリ、ＨＤＤ、ＳＳＤ、メモリカード、光ディスク、光磁気ディスクおよびＲＡＭ等の記憶媒体のいずれか、またはこれらの複数の組み合わせである。ストレージ９はプログラムおよびデータを記憶することが可能である。ストレージ９は、記憶媒体と、当該記憶媒体から情報を読み取る読み取り装置とを含んでもよい。
【００３４】
ストレージ９に記憶されるプログラムは、スマートウォッチ１の動作を制御する制御プログラム９Ａと、アプリケーションプログラム９Ｂ（以下、「アプリケーション９Ｂ」という。）とを含む。制御プログラム９Ａには、例えばＯＳが含まれる。アプリケーション９Ｂに対応するアイコンに対する入力が受け付けられたとき、アプリケーション９Ｂはフォアグラウンドで実行され、当該アプリケーション９Ｂへの操作が可能な画面がディスプレイ２Ｂに表示される。アプリケーション９Ｂはバックグラウンドで実行されてもよい。アプリケーション９Ｂは、スマートウォッチ１にプリインストールされているアプリケーションおよびユーザがインストールするアプリケーションなどの種々のアプリケーションを含む。ストレージ９には、種々の設定情報９Ｃと、種々のセンサからの信号の履歴情報等を含むセンサ情報９Ｄと、センサ情報９Ｄから判断された結果と、インターネット通信等により入手する環境情報９Ｅ等が保存される。
【００３５】
プロセッサ１０は、制御部の一例である。スマートウォッチ１は少なくとも一つのプロセッサ１０を含み、以下で述べる各種の機能を実現するための制御と処理能力を提供する。種々の実施形態によると、少なくとも一つのプロセッサ１０は、ＩＣ（Iｎｔｅｇｒａｔｅｄ  Ｃｉｒｃｕｉｔ）として、または複数の通信可能に接続されたＩＣおよび／またはディスクリート回路として実装されてもよい。少なくとも一つのプロセッサ１０は、様々な既知の技術によって実現されることが可能である。一つの実施形態では、プロセッサ１０は、例えば、関連するメモリに記憶された指示を実行することによって１以上のデータ計算手段またはデータ計算処理を実行するように構成された１以上の回路またはユニットを有する。他の実施形態において、プロセッサ１０は、１以上のデータ計算手続きまたは処理を実行するように構成されたファームウェア（例えば、ディスクリートロジックコンポーネント）であってもよい。種々の実施形態によれば、プロセッサ１０は、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイスもしくは構成の任意の組み合わせ、または他の既知のデバイスおよび構成の組み合わせを含み、以下に説明される機能を実行してもよい。
【００３６】
プロセッサ１０は判断ユニットとハンドオフユニットを含んでもよい。いくつかの実施例では、判断ユニットとハンドオフユニットは、メモリに保存された実行可能な命令として実現され、当該命令はプロセッサ１０に含まれる処理回路によって実行される。判断ユニットとハンドオフユニットは、本明細書で説明するそれぞれのプロセスを実行する。もう一つの実施例では、本明細書で示すそれぞれの機能を果たすために、判断ユニットハンドオフユニットの少なくとも一方は、プロセッサ１０と通信可能に接続されたセパレートＩＣまたはディスクリート回路によって実現されてもよい。
【００３７】
アプリケーション９Ｂおよび制御プログラム９Ａはプロセッサ１０によって実行される。スマートウォッチ１の動作はプロセッサ１０によって統括的に制御され、各種の機能が実現される。
【００３８】
スマートウォッチ１は上記の各機能部の他、ＧＰＳ（Ｇｌｏｂａｌ  Ｐｏｓｉｔｉｏｎｉｎｇ  Ｓｙｓｔｅｍ）受信機を備えていてもよい。プロセッサ１０は、ＧＰＳ受信機が受信したＧＰＳ衛星からの信号を用いて、スマートウォッチ１の現在位置を検出できる。スマートウォッチ１は、更に、気圧を測定する気圧センサおよび方位を測定するための方位センサ等を備えていてもよい。
【００３９】
＜第１の実施例＞
図４に示すように、本実施例のスマートウォッチ１は、太陽光パネル群を有する。この太陽光パネル群は、ディスプレイ２Ｂ上に重ねて、ディスプレイ２Ｂ上を敷き詰めるように配置された、複数の太陽光パネル２Ｃの集まりである。本実施例に係るスマートウォッチ１が有するプロセッサ１０は、太陽光パネル群の一部をユーザの服の袖１３が覆ったとき、ディスプレイ２Ｂをオン状態からオフ状態へ変化させる。またプロセッサ１０は、太陽光パネル群の上から袖１３が取り除かれたとき、ディスプレイ２Ｂをオフ状態からオン状態へ変化させる。従ってユーザがディスプレイ２Ｂを見ていないとき、ディスプレイ２Ｂはオフ状態となり、ユーザがディスプレイ２Ｂを見るために服の袖１３をディスプレイ２Ｂ上から排除したとき、ディスプレイ２Ｂはオン状態となる。
【００４０】
当該動作により、本実施例に係るスマートウォッチ１は、服の袖１３がディスプレイ２Ｂの少なくとも一部を覆った状態、つまり、ユーザがディスプレイ２Ｂを見ていないと推測される状況でディスプレイ２Ｂをオフ状態に変化させることにより、消費電力を低減することができる。
【００４１】
またユーザがディスプレイ２Ｂを覆う服の袖１３をディスプレイ２Ｂ上から排除し、ユーザがディスプレイ２Ｂを見ようとした場合には、スマートウォッチ１に対する操作を必要とせずにスマートウォッチ１のディスプレイ２Ｂはオン状態となる。これにより、スマートウォッチ１の操作性が向上する。
【００４２】
以下に上述の処理をより詳細に説明する。
【００４３】
本実施例における説明では、太陽光パネル群は、図４に示すように９枚の太陽光パネル２Ｃａ〜２Ｃｉを有する。また、スマートウォッチ１は図４に示すように、例えばユーザの左手１４に装着されている。図４に示すように、スマートウォッチ１の上面を正面から見た状態において、９枚の太陽光パネル２Ｃは、左側の第１列において上段に配置された太陽光パネル２Ｃａと、第１列において中段に配置された太陽光パネル２Ｃｂと、第１列において下段に配置された太陽光パネル２Ｃｃとを含む。また、９枚の太陽光パネル２Ｃは、中央の第２列において上段に配置された太陽光パネル２Ｃｄと、第２列において中段に配置された太陽光パネル２Ｃｅと、第２列において下段に配置された太陽光パネル２Ｃｆとを含む。そして、９枚の太陽光パネル２Ｃは、右側の第３列において上段に配置された太陽光パネル２Ｃｇと、第３列において中段に配置された太陽光パネル２Ｃｈと、第３列において下段に配置された太陽光パネル２Ｃｉとを含む。
【００４４】
本明細書において「太陽光パネル２Ｃ」とは太陽光パネル２Ｃａ〜２Ｃｉを区別しない場合のそれらのいずれか一つを指す。
【００４５】
各太陽光パネル２Ｃは、それに光が照射されたとき、光起電力効果により発電する。太陽光パネル群を備える本体１Ａの上面のうち、発電している太陽光パネル２Ｃが配置されている領域は、光が強く照射されていることが推測される。本体１Ａの上面のうち、発電していない太陽光パネル２Ｃが配置されている領域は、光が弱く照射されているか、または光が照射されていないことが推測される。太陽光パネル２Ｃが配置されている本体１Ａの上面において、発電していない太陽光パネル２Ｃが存在するとき、当該太陽光パネル２Ｃは光を遮る物により覆われている可能性がある。本実施例におけるスマートウォッチ１の場合、光を遮る物の一つとして、ユーザが着用する服の袖１３が考えられる。
【００４６】
太陽光パネル２Ｃが袖１３などの光を遮る物体により覆われているとき、当該太陽光パネル２Ｃと重なって配置されているディスプレイ２Ｂも同様に、光を遮る物体に覆われている。従って太陽光パネル２Ｃが袖１３などの光を遮る物体により覆われているとき、ユーザはディスプレイ２Ｂの少なくとも一部を視認できない、または視認しづらい状況にある。当該状況が継続しているとき、ユーザがディスプレイ２Ｂを見ている可能性は低い。
【００４７】
本実施例におけるスマートウォッチ１が備えるプロセッサ１０は、９枚の太陽光パネル２Ｃのうち、例えば第１列に属する太陽光パネル２Ｃａ、２Ｃｂ、２Ｃｃが発電しているか否かにより、ディスプレイ２Ｂをオン状態からオフ状態へ変化させる処理またはオフ状態からオン状態へ変化させる処理を実行する。なお、本明細書において「発電していない」という表現は、発電量が閾値未満であり、太陽光パネル２Ｃがほとんど発電していない状態も含む。
【００４８】
ディスプレイ２Ｂをオン状態からオフ状態へ変化させる処理およびオフ状態からオン状態へ変化させる処理は、第１列に属する太陽光パネル２Ｃａ、２Ｃｂ、２Ｃｃが発電しているか否かにのみ基づいて実行されるのではなく、第１列に属する太陽光パネル２Ｃａ、２Ｃｂ、２Ｃｃの発電量および第３列に属する太陽光パネル２Ｃｇ、２Ｃｈ、２Ｃｉの発電量を比較し、その比較の結果に応じて実行されてもよい。
【００４９】
まず、スマートウォッチ１が備えるプロセッサ１０が、ディスプレイ２Ｂをオン状態からオフ状態へ変化させる処理について説明する。
【００５０】
第１列に属する太陽光パネル２Ｃａ、２Ｃｂ、２Ｃｃが発電しておらず、第２列および第３列に属する太陽光パネル２Ｃｄ、２Ｃｅ、２Ｃｆ、２Ｃｇ、２Ｃｈ、２Ｃｉの少なくともいずれかが発電しているとき、周囲は明るい状態であるにも関わらず、第１列に属する太陽光パネル２Ｃａ、２Ｃｂ、２Ｃｃが備えられる領域の少なくとも一部は、光が照射されていないと考えられる。
【００５１】
スマートウォッチ１がユーザの左手１４に装着されているとき、ユーザの服の袖１３は第１列に属する太陽光パネル２Ｃａ、２Ｃｂ、２Ｃｃを覆う可能性が高い。
【００５２】
同様にディスプレイ２Ｂのうち、第１列に属する太陽光パネル２Ｃａ、２Ｃｂ、２Ｃｃが上に重ねて配置されている領域は、服の袖１３に覆われる可能性が高いと考えられる。ディスプレイ２Ｂの全体が見えない状態において、ユーザがディスプレイ２Ｂを見ている可能性は低い。
【００５３】
従って、このような場合、プロセッサ１０はディスプレイ２Ｂをオン状態からオフ状態へ変化させてもよい。
【００５４】
例えば、プロセッサ１０は、太陽光パネル２Ｃにおいて所定の時間内に得られた発電量が、閾値を超えるか否かによって、当該太陽光パネル２Ｃが発電しているか否かを判断する。これにより、プロセッサ１０は、各太陽光パネル２Ｃについて、当該太陽光パネル２Ｃが発電しているか否かを判断することができる。また、プロセッサ１０は、第１列に属する太陽光パネル２Ｃａ、２Ｃｂ、２Ｃｃが発電しているか否かを判断する場合には、太陽光パネル２Ｃａ、２Ｃｂ、２Ｃｃのそれぞれが発電しているか否かを個別に判断するのではなく、第１列に属する太陽光パネル２Ｃａ、２Ｃｂ、２Ｃｃの合計発電量と、第３列に属する太陽光パネル２Ｃｇ、２Ｃｈ、２Ｃｉの合計発電量との差に基づいて、第１列に属する太陽光パネル２Ｃａ、２Ｃｂ、２Ｃｃが発電しているか否かを判断してもよい。または、プロセッサ１０は、第１列に属する太陽光パネル２Ｃａ、２Ｃｂ、２Ｃｃにおいて所定の時間内に得られた発電量のうちの最大の発電量と、第３列に属する太陽光パネル２Ｃｇ、２Ｃｈ、２Ｃｉにおいて所定の時間内に得られた発電量のうちの最大の発電量との差に基づいて、第１列に属する太陽光パネル２Ｃａ、２Ｃｂ、２Ｃｃが発電しているか否かを判断してもよい。または、プロセッサ１０は、第１列に属する太陽光パネル２Ｃａ、２Ｃｂ、２Ｃｃが発電しているか否を、第１列に属する太陽光パネル２Ｃａ、２Ｃｂ、２Ｃｃにおける所定の時間内における平均電流値等に基づいて判断してもよい。
【００５５】
スマートウォッチ１は、ユーザに対する報知手段として、ディスプレイ２Ｂをオフ状態からオン状態に変化させ、ディスプレイ２Ｂに情報を表示する機能を有する。しかし上述のように、ユーザがディスプレイ２Ｂを見ていないと推測される場合には、スマートウォッチ１は、ディスプレイ２Ｂをオン状態からオフ状態に変化させず、ディスプレイ２Ｂをオフ状態に維持してもよい。
【００５６】
上述のとおり、本実施例におけるスマートウォッチ１は、ユーザの左手１４に装着されている状態において、９枚の太陽光パネル２Ｃのうち、第２列および第３列に属する太陽光パネル２Ｃｄ、２Ｃｅ、２Ｃｆ、２Ｃｇ、２Ｃｈ、２Ｃｉのいずれかが発電し、第１列に属する太陽光パネル２Ｃａ、２Ｃｂ、２Ｃｃのそれぞれが発電していないとき、ディスプレイ２Ｂをオン状態からオフ状態へ変化させる処理を実行する。
【００５７】
次に、プロセッサ１０が、ディスプレイ２Ｂをオフ状態からオン状態へ変化させる処理について説明する。
【００５８】
例えば、第１列に属する太陽光パネル２Ｃａ、２Ｃｂ、２Ｃｃおよび第３列に属する太陽光パネル２Ｃｇ、２Ｃｈ、２Ｃｉが発電しているとき、ディスプレイ２Ｂおよび太陽光パネル２Ｃは服の袖１３に覆われていないと考えられる。
【００５９】
従って、このような場合に、プロセッサ１０はディスプレイ２Ｂをオフ状態からオン状態へ変化させてもよい。
【００６０】
特に、第１列に属する太陽光パネル２Ｃａ、２Ｃｂ、２Ｃｃが発電しておらず、第２列および第３列に属する太陽光パネル２Ｃｄ、２Ｃｅ、２Ｃｆ、２Ｃｇ、２Ｃｈ、２Ｃｉのいずれかが発電している第１状態から、第１列に属する太陽光パネル２Ｃａ、２Ｃｂ、２Ｃｃが発電している第２状態に変化したときは、太陽光パネル２Ｃの上から、ユーザの服の袖１３が取り除かれた可能性が高い。したがって、プロセッサ１０は、第１状態から第２状態に変化したとき、ディスプレイ２Ｂをオフ状態からオン状態に変化させてもよい。
【００６１】
上述の処理によると、太陽光パネル２Ｃの上から袖１３が取り除かれたとき、ディスプレイ２Ｂはオフ状態からオン状態へ変化するため、ユーザは即座にスマートウォッチ１を利用することができる。
【００６２】
第１列に属する太陽光パネル２Ｃａ、２Ｃｂ、２Ｃｃおよび第３列に属する太陽光パネル２Ｃｇ、２Ｃｈ、２Ｃｉの発電量を比較し、両者が同程度（例えば誤差が１０％未満）である場合にのみ、プロセッサ１０がディスプレイ２Ｂをオフ状態からオン状態へ変化させてもよい。この場合、太陽光パネル２Ｃの全体が完全に露出した場合にのみ、処理が実行されるため、誤作動が起こる可能性は低減される。
【００６３】
上述の処理は太陽光パネル２Ｃの枚数が９枚である場合について述べたが、他の枚数であってもよい。例えば図６のように、太陽光パネル２Ｃの枚数は３枚であってもよい。この場合、プロセッサ１０は、第１列の位置に属する太陽光パネル２Ｃａ、第３列の位置に属する太陽光パネル２Ｃｃについて発電量を測定すればよい。
【００６４】
また太陽光パネル２Ｃは矩形のディスプレイ２Ｂ上に配置されるのではなく、例えば図７、図８および図９のような円形のディスプレイ２Ｂ上に配置されてもよい。
【００６５】
また円形のディスプレイ２Ｂ上に太陽光パネル２Ｃが配置されるとき、太陽光パネル２Ｃは、例えば図７および図８のような４枚の扇型形状の太陽光パネル２Ｃが設けられてもよい。図７および図８のような配置であれば、複数の太陽光パネル２Ｃは同じ面積を持つため、発電量から算出する照度の比較が容易となる。図７の配置の場合、図４における第１列に属する太陽光パネルとして紙面左側に存在する太陽光パネル２Ｃａおよび太陽光パネル２Ｃｂの発電量が測定され、図４における第３列に属する太陽光パネルとして紙面右側に配置されている太陽光パネル２Ｃｃおよび太陽光パネル２Ｃｄの発電量が測定されてもよい。図８の場合、図４における第１列に属する太陽光パネルとして紙面左側に配置されている太陽光パネル２Ｃｂの発電量が、図４における第３列に属する太陽光パネルとして紙面右側に配置されている太陽光パネル２Ｃｄの発電量がそれぞれ測定されてもよい。
【００６６】
また複数の太陽光パネル２Ｃの配置は、図９のような配置であってもよい。しかしながら、図９の配置では複数の太陽光パネル２Ｃの面積が均一でないため、複数の太陽光パネル２Ｃが同じ照度の光を受けた場合にも、当該複数の太陽光パネル２Ｃのそれぞれの発電量は異なると思われる。従って発電量の比較では、各太陽光パネル２Ｃについてその面積を考慮した評価を行う必要がある。
【００６７】
また複数の太陽光パネル２Ｃの配置は、図１０のような配置であってもよい。図１０の配置では、各太陽光パネル２Ｃはディスプレイ２Ｂ上に重ねられず、ディスプレイ２Ｂの周囲に配置される。この場合であっても、図４における第１列に属する太陽光パネルとして紙面左側に配置されている太陽光パネル２Ｃｂの発電量が、図４における第３列に属する太陽光パネルとして紙面右側に配置されている太陽光パネル２Ｃｄの発電量が、それぞれ測定されてもよい。
【００６８】
また光を検知する手段は、必ずしも太陽光パネル２Ｃに限られない。例えば図１１に示されるように、太陽光パネル２Ｃの代りに照度センサ５Ａａ，５Ａｂが設けられてもよい照度センサ５Ａａ，５Ａｂは、図１１の紙面左側と右側の領域にそれぞれ位置する。
【００６９】
プロセッサ１０は、複数の照度センサ５Ａａ，５Ａｂを用いることにより、スマートウォッチ１の光を遮る物体が存在するか、またスマートウォッチ１のどこまでが覆われているかが推測できる。図１１の例では、スマートウォッチ１は照度センサ５Ａａおよび照度センサ５Ａｂを備えているが、スマートウォッチ１は更に多くの照度センサを備えてもよい。
【００７０】
またプロセッサ１０は、照度センサ５Ａと太陽光パネル２Ｃを組み合わせて制御を行ってもよい。例えば、スマートウォッチ１がユーザの左手１４に装着されているとき、プロセッサ１０は、図４における第１列の太陽光パネル２Ｃに相当する部分がユーザの服の袖１３に覆われているか否かを、太陽光パネル２Ｃの代わりに照度センサ５Ａを用いて判断し、図４における第３列の太陽光パネル２Ｃに相当する部分がユーザの服の袖１３に覆われているか否かを、図４における第３列の太陽光パネル２Ｃを用いて判断してもよい。この場合、本体１Ａの上面において袖１３に覆われているか否かを判断したい部分に照度センサ５Ａを設けることができる。
【００７１】
また、スマートウォッチ１が、太陽光パネル２Ｃのうち、発電している領域と発電していない領域を判別できる手段を備える場合には、スマートウォッチ１は当該手段を用いて本開示を実施することは可能である。複数の太陽光パネル２Ｃまたは照度センサ５Ａを用いるのではなく、単一の太陽光パネル２Ｃが用いられてもよい。例えば単一の太陽光パネル２Ｃのうち、図２等における紙面右側の領域しか発電していないことが検出されたのであれば、プロセッサ１０はディスプレイ２Ｂをオン状態からオフ状態にしてもよい。
【００７２】
また、タッチパネル２Ａに対して指またはスタイラスペン等の操作子が接近したときには、太陽光パネル２Ｃへの光１２が操作子により遮られる可能性がある。このとき、太陽光パネル２Ｃの発電量の変化に応じて画面をオフ状態に変化させる機能が働くことを防止するため、プロセッサ１０は、所定の時間（例えば１秒）が経過するまで当該機能の実行を待機し、待機中にタッチパネル２Ａへの入力操作を受けたときには、ディスプレイ２Ｂをオン状態からオフ状態へ変化させず、ディスプレイ２Ｂをオン状態に維持してもよい。
【００７３】
図５は、スマートウォッチ１において実行される処理の一例を示すフローチャートである。
【００７４】
図４に示すスマートウォッチ１が備えるプロセッサ１０は、ステップＳ００１において太陽光パネル２Ｃａ〜２Ｃｉのそれぞれの発電量を測定する。
【００７５】
次に、プロセッサ１０は、ステップＳ００２においてステップＳ００１において得られた発電量から、いずれかの太陽光パネル２Ｃの発電量が閾値を超えるかを判断する。いずれかの太陽光パネル２Ｃの発電量が閾値を超えている場合、プロセッサ１０は処理をステップＳ００３へ進める。全ての太陽光パネル２Ｃの発電量が閾値を超えていない場合、太陽光パネル２Ｃのすべてが光を遮る物体により覆われている状態なのか、または周囲が暗く各太陽光パネル２Ｃが発電できない状態なのかが判断できないため、プロセッサ１０は処理をステップＳ００１へ戻す。
【００７６】
ステップＳ００３において、プロセッサ１０は、ディスプレイ２Ｂがオン状態であるか否かを判断する。ディスプレイ２Ｂがオン状態であるとき、プロセッサ１０は処理をステップＳ００４へ進める。
【００７７】
プロセッサ１０は、ステップＳ００４において、ステップＳ００１で得られた情報を元に、第１列の発電量および第３列の発電量を求め、両者を比較する。第１列の発電量は、第１列に属する太陽光パネル２Ｃａ、２Ｃｂ、２Ｃｃの発電量のうちの最大の発電量であってもよいし、当該太陽光パネル２Ｃａ、２Ｃｂ、２Ｃｃの合計発電量であってもよい。同様に、第３列の発電量は、第３列に属する太陽光パネル２Ｃｇ、２Ｃｈ、２Ｃｉの発電量のうちの最大の発電量であってもよいし、当該太陽光パネル２Ｃｇ、２Ｃｈ、２Ｃｉの合計発電量であってもよい。両者を比較した結果、第１列の発電量が第３列の発電量より小さく、更にその差が閾値以上であるとき、周囲は発電可能な明るさを有する環境にあるにも関わらず、ディスプレイ２Ｂのうち、第１列周辺の領域は光を遮る物体に覆われていると可能性が高いと言える。したがって、プロセッサ１０は、第１列の発電量が第３列の発電量より小さく、更にその差が閾値以上であるとき、ステップＳ００５において、ディスプレイ２Ｂをオフ状態にする。
【００７８】
一方、ステップＳ００３において、ディスプレイ２Ｂがオフ状態であるときには、プロセッサ１０は処理をステップＳ００６へ進める。
【００７９】
プロセッサ１０は、ステップＳ００６において、ステップＳ００１で得られた情報を元に、第１列の発電量および第３列の発電量を求め、両者の発電量のそれぞれが閾値以上であるか否かを判断する。両者の発電量のそれぞれが閾値以上であるとき、光を遮る物体は太陽光パネル２Ｃ上になく、太陽光パネル２Ｃのすべてに光が当たっている可能性が高い。したがって、プロセッサ１０は、両者の発電量のそれぞれが閾値以上であるとき、処理をステップＳ００７において、ディスプレイ２Ｂをオフ状態からオン状態へ切り替える。一方で、両者の発電量の少なくとも一方が閾値未満であった場合、処理がステップＳ００１へ戻る。
【００８０】
ここまでスマートウォッチ１は左手１４に装着され、服の袖１３は図４等の配置において、紙面左側から太陽光パネル２Ｃを覆い被さることを想定して説明した。これに対して、スマートウォッチ１が右手に装着された場合、袖１３は紙面右側から覆い被さるようになるため、ステップＳ００４の処理は逆になる。すなわちステップＳ００４は「第３列の発電量は第１列の発電量より閾値以上少ない？」となる。従って、スマートウォッチ１の設定情報に、それを装着する腕を特定するための情報が含まれる等、プロセッサ１０が、スマートウォッチ１が右手に装着されていることを判断できれば、プロセッサ１０はステップＳ００４の処理を上記の動作に変更してもよい。または、プロセッサ１０は、第１列の累積発電量および第３列の累積発電量からスマートウォッチ１が右手に装着されているか左手１４に装着されているかを判断してもよい。スマートウォッチ１においては、袖１３からより遠い側では、袖１３が掛かる頻度が低いと考えられる。したがって、スマートウォッチ１においては、袖１３からより遠い側での発電量の累積値が、袖１３により近い側での発電量の累積値よりも大きくなると考えられる。そこで、プロセッサ１０は、スマートウォッチ１の各太陽光パネル２Ｃについて、所定時間前からの累積発電量を算出する。そして、プロセッサ１０は、算出した累積発電量に基づいて、第１列の累積発電量と第３列の累積発電量を取得する。第１列の累積発電量は、第１列に属する太陽光パネル２Ｃａ、２Ｃｂ、２Ｃｃの累積発電量のうちの最大の累積発電量であってもよいし、当該太陽光パネル２Ｃａ、２Ｃｂ、２Ｃｃの合計累積発電量であってもよい。同様に、第３列の累積発電量は、第３列に属する太陽光パネル２Ｃｇ、２Ｃｈ、２Ｃｉの累積発電量のうちの最大の累積発電量であってもよいし、当該太陽光パネル２Ｃｇ、２Ｃｈ、２Ｃｉの合計累積発電量であってもよい。プロセッサ１０は、第３列の累積発電量が第１列の累積発電量よりも多いなら、スマートウォッチ１が左手１４に装着されていると判断する。一方で、プロセッサ１０は、第１列の累積発電量が第３列の累積発電量よりも多いなら、スマートウォッチ１が右手に装着されていると判断する。
【００８１】
または、プロセッサ１０は、加速度センサ５Ｂ等のセンサを用いて、スマートウォッチ１が右手に装着されているか左手１４に装着されているかを判断してもよい。例えばユーザがスマートウォッチ１を左手１４に装着し、左腕を下げているのであれば、重力方向は例えば図４の紙面左側から右側へ向かう方向となる。またユーザがスマートウォッチ１を右手に装着し、歩行しているのであれば、重力方向は例えば図４の紙面右側から左側へ向かう方向となる。従って、プロセッサ１０は、加速度センサ５Ｂが検知する重力の方向に基づいて、スマートウォッチ１が右手に装着されているか左手に装着されているかを特定することができる。
【００８２】
ここまでディスプレイ２Ｂの状態をオン状態およびオフ状態の間で切り替えることについて説明したが、ディスプレイ２Ｂの状態の切り替えは必ずしもオン状態およびオフ状態の間での切り替えでなくともよい。例えば、ディスプレイ２Ｂの状態が、高輝度状態および低輝度状態の間で切り替えられてもよい。またはディスプレイ２Ｂの状態が、カラーでの表示状態および単色表示状態の間で切り替えられてもよい。またはディスプレイ２Ｂの状態が、高消費電力状態と低消費電力状態の間で切り替えられてもよい。
【００８３】
ここまで第１列に属する太陽光パネル２Ｃの発電量と第３列に属する太陽光パネル２Ｃの発電量を比較する例について説明したが、必ずしも第１列に属する太陽光パネル２Ｃの発電量と第３列に属する太陽光パネル２Ｃの発電量を比較しなくてもよい。プロセッサ１０は、ユーザの着用する袖１３に近い太陽光パネル２Ｃの発電量と、袖１３から遠い太陽光パネル２Ｃの発電量を比較すればよい。つまり、プロセッサ１０は、バンド１Ｂの短手方向において、互いに離れた位置に配置された太陽光パネル２Ｃの発電量を比較すればよい。
【００８４】
従って、例えばステップＳ００４、Ｓ００６の処理は、第１列と第３列の発電量の比較ではなく、第２列と第３列の発電量の比較であってもよい。または、プロセッサ１０は、第１列に属する太陽光パネル２Ｃが発電した電力量および第２列に属する太陽光パネル２Ｃが発電した電力量との平均値または合計値を算出し、当該算出した数値を第３列に属する太陽光パネル２Ｃが発電した電力量と比較してもよい。
【００８５】
プロセッサ１０は、第２列に属する太陽光パネル２Ｃの発電量に基づき処理を行う場合、ディスプレイ２Ｂにおいて、第２列に属する太陽光パネル２Ｃに対応する領域である中央部が、光を遮る物体により覆われているかを判断できる。ディスプレイ２Ｂにおいて中央の領域までが光を遮る物体により覆われている場合には、ユーザはディスプレイ２Ｂを高い確率で利用していないことが推測される。
【００８６】
ここまで、複数の太陽光パネル２Ｃが発電しているか否かにより判断を行う例について示したが、スマートウォッチ１が、単一の太陽光パネル２Ｃにおいて影となっている領域を検出できる手段を備えていれば、プロセッサ１０は、その影となっている面積を元に制御を行ってもよい。例えば太陽光パネル２Ｃの面積のうち、半分が影となっているのであれば、プロセッサ１０はディスプレイ２Ｂをオフ状態としてもよい。
【００８７】
＜第２の実施例＞
次に、第２の実施例について説明する。第２の実施例の構成のうち、第１の実施例と共通する構成については、その説明を省略する。
【００８８】
本実施例に係るスマートウォッチ１は、太陽光パネル２Ｃに覆いかぶさる光を遮る物体（例えば服の袖１３）の動きを検出する。
【００８９】
スマートウォッチ１が備えるプロセッサ１０は、図４における第１列に属する太陽光パネル（２Ｃａ、２Ｃｂ、２Ｃｃ）の発電量（第１列の発電量）の推移および第３列に属する太陽光パネル（２Ｃｇ、２Ｃｈ、２Ｃｉ）の発電量（第３列の発電量）の推移を測定する。ディスプレイ２Ｂがオン状態の場合に、第１列に属する太陽光パネル（２Ｃａ、２Ｃｂ、２Ｃｃ）の発電量が低下し、更に第３列に属する太陽光パネル（２Ｃｇ、２Ｃｈ、２Ｃｉ）の発電量もまた低下したとき、プロセッサ１０は、ディスプレイ２Ｂをオン状態からオフ状態に変化させる処理を行う。
【００９０】
ユーザがスマートウォッチ１の使用を終了し、例えば腕を下げるなどの動作を行った際に、太陽光パネル２Ｃのすべてに袖１３がかかる場合がある。このとき、上記の処理により、スマートウォッチ１はディスプレイ２Ｂをオン状態からオフ状態へ変化させる。従ってユーザが特段追加の操作を行わずとも、スマートウォッチ１は速やかに低消費電力の状態へ移行する。
【００９１】
また逆にディスプレイ２Ｂがオフ状態において、第３列に属する太陽光パネル（２Ｃｇ、２Ｃｈ、２Ｃｉ）の発電量が増加し、更に第１列に属する太陽光パネル（２Ｃａ、２Ｃｂ、２Ｃｃ）の発電量が増加したとき、プロセッサ１０はディスプレイ２Ｂをオフ状態からオン状態に変化させる処理を行う。
【００９２】
上記の処理により、スマートウォッチ１の備える各太陽光パネル２Ｃが光を遮る物体に覆われた状態から、太陽光パネル２Ｃのすべてに光が当たる状態へ変化したとき、スマートウォッチ１はディスプレイ２Ｂをオフ状態からオン状態に変化させる。従ってユーザがスマートウォッチ１の利用を開始しようとしたとき、ディスプレイ２Ｂをオン状態にするための操作がユーザにより行われずとも、スマートウォッチ１のディスプレイ２Ｂはオン状態となる。
【００９３】
以下に図１２のフローチャートを用いて、第２の実施例に係るスマートウォッチ１で実行される処理について説明する。
【００９４】
ステップＳ１０１においてスマートウォッチ１が備えるプロセッサ１０は、太陽光パネル２Ｃａ〜２Ｃｉのそれぞれの発電量を測定し、その後処理をステップＳ１０２へ進める。
【００９５】
次にステップＳ１０２において、プロセッサ１０は第１列の発電量と第３列の発電量を比較し、両者の差が閾値未満であるならば、処理をステップＳ１０３へ進める。
【００９６】
ステップＳ１０３では、プロセッサ１０は太陽光パネル２Ｃによる発電量が閾値以上かどうかを判断する。なお、太陽光パネル２Ｃによる発電量とは、第１列の発電量でもよいし、第３列の発電量でもよい。また、太陽光パネル２Ｃによる発電量とは、太陽光パネル２Ｃのすべてによる発電量であってもよい。ステップＳ１０３において、プロセッサ１０は発電量が閾値以上であるならば、処理をステップＳ１０４へ進める。
【００９７】
ステップＳ１０４において、プロセッサ１０は、第１列の発電量が閾値未満へ変化したことを検知したとき、本体１Ａの上面における、第１列の太陽光パネル２Ｃの上方の領域の照度が減少したとして、処理をステップＳ１０５へ進める。
【００９８】
ステップＳ１０５において、プロセッサ１０は、第１列の発電量が閾値未満へ変化したことに加え、第３列の発電量も閾値未満へ変化したことを検知したとき、本体１Ａの上面における、第１列及び第３列の太陽光パネル２Ｃの上方の領域の照度が減少したとして、処理をステップＳ１０６へ進める。
【００９９】
上記の処理を経てステップＳ１０６へ至ったとき、プロセッサ１０は、太陽光パネル２Ｃのすべてが光を遮る物体（例えば服の袖１３）に覆われたと推測し、ディスプレイ２Ｂをオン状態からオフ状態に変化させる。なおプロセッサ１０がディスプレイ２Ｂをオン状態からオフ状態へ変化させる前からディスプレイがオフ状態であれば、ステップＳ１０６が実行されなくてもよい。
【０１００】
ステップＳ１０４において、プロセッサ１０が第１列の発電量が閾値未満へ変化したと判断したとき、処理をステップＳ１０１へ戻す。
【０１０１】
ステップＳ１０５において、プロセッサ１０は、第３列の発電量が閾値未満へ変化したと検知する前に、第１列の発電量が閾値以上へ変化したと検知したとき、処理をステップＳ１０１へ戻す。
【０１０２】
ステップＳ１０３において、プロセッサ１０は、太陽光パネル２Ｃの発電量が閾値以上でないと判断したとき、処理をステップＳ１０７へ進める。
【０１０３】
ステップＳ１０７において、プロセッサ１０は、第３列の発電量を調べ、その発電量が閾値以上であると判断したとき、本体１Ａの上面における、第３列の太陽光パネル２Ｃの上方の領域の照度が増加したとして、ステップＳ１０８へ処理を進める。
【０１０４】
ステップＳ１０８において、プロセッサ１０は、第３列の発電量が閾値以上へ変化したと検知した後、第１列に属する太陽光パネル２Ｄの発電量が閾値以上へ変化したと判断したとき、本体１Ａの上面における、第１及び第３列の太陽光パネル２Ｃの上方の領域の照度が増加したとして、処理をステップＳ１０９へ進める。
【０１０５】
ステップＳ１０９において、プロセッサ１０は、太陽光パネル２Ｃに覆いかぶさっていた光を遮る物体（例えば服の袖１３）が取り除かれたと推測し、ディスプレイ２Ｂをオン状態にする。なお切り替える前からディスプレイ２Ｂがオン状態であれば、ステップＳ１０９は実行されなくてもよい。
【０１０６】
またステップＳ１０６において、プロセッサ１０は、ディスプレイ２Ｂをオフ状態にする処理とともにマイク７Ａの感度を上げる処理を行ってもよい。または、プロセッサ１０は、ディスプレイ２Ｂをオフ状態にする処理を行わず、マイク７Ａの感度を上げる処理を行ってもよい。
【０１０７】
太陽光パネル２Ｃが服の袖１３に覆われた状態では、スマートウォッチ１に備えられたマイク７Ａもまた同様に服の袖１３に覆われている可能性が高い。このとき音が服の袖１３に吸収され、マイク７Ａの集音性能が低下する可能性がある。従ってマイク７Ａの感度を上げる処理を行うことで、マイク７Ａの集音性能が向上する。
【０１０８】
ステップＳ１０６において、プロセッサ１０は、ディスプレイ２Ｂをオフ状態にする処理とともに、スピーカ７Ｂの音量を上げる処理を行ってもよい。または、プロセッサ１０は、ディスプレイ２Ｂをオフ状態にする処理を行わず、スピーカ７Ｂの音量を上げる処理を行ってもよい。
【０１０９】
太陽光パネル２Ｃが服の袖１３に覆われた状態では、スピーカ７Ｂからの音が服の袖１３に吸収されている可能性がある。スピーカ７Ｂの音量を上げることで、スピーカ７Ｂからの音は聞き取りやすくなる。
【０１１０】
プロセッサ１０は、ディスプレイ２Ｂのオン状態からオフ状態へ変化させる処理を行うとともに、マイク７Ｂの感度を上げる処理およびスピーカ７Ａの音量を上げる処理の両方を行ってもよい。またはプロセッサ１０は、ディスプレイ２Ｂのオン状態からオフ状態へ変化させる処理を行わず、マイク７Ｂの感度を上げる処理およびスピーカ７Ａの音量を上げる処理の両方を行ってもよい。これにより特にスマートウォッチ１が袖１３に覆われた状態でスマートウォッチ１を用いた通話が行われても、スマートウォッチ１を装着するユーザおよび通話相手の双方が十分な音量で通話を行うことが可能となる。
【０１１１】
またプロセッサ１０は、報知の方法を切り替えてもよい。スマートウォッチ１は、ユーザに対する報知の方法として、ディスプレイ２Ｂにおける情報の表示、報知のためのＬＥＤ８Ｂの発光、スピーカ７Ｂによる音の出力およびバイブレータ８Ａによる振動等を使用することができる。ディスプレイ２Ｂが服の袖１３に覆われた状態であると考えられる場合には（ステップＳ１０４，１０５でＹＥＳと判定）、スマートウォッチ１の設定において、報知の方法としてディスプレイ２Ｂによる情報の表示または報知のためのＬＥＤ８Ｂの発光が設定されていたとしても、プロセッサ１０はステップＳ１０６において報知の方法をスピーカ７Ｂによる音の出力またはバイブレータ８Ａによる振動に切り替えてもよい。例えば、プロセッサ１０は、ステップＳ１０６において、ＬＥＤ８Ｂの発光により報知を行うモードから、バイブレータ８Ａの振動により報知を行うモードへ変化させる。または、光を遮る物体をＬＥＤ８Ｂからの光が透過することによって報知されるために、プロセッサ１０はＬＥＤ８Ｂの発光強度を高めてもよい。また、ディスプレイ２Ｂ上から袖１３が排除された状態であると考えられる場合には（ステップＳ１０７，１０８でＹＥＳと判定）、プロセッサ１０はステップＳ１０９において報知の方法を、スピーカ７Ｂによる音の出力またはバイブレータ８Ａによる振動から、ディスプレイ２Ｂによる情報の表示または報知のためのＬＥＤ８Ｂの発光に切り替えてもよい。例えば、プロセッサ１０は、ステップＳ１０９において、バイブレータ８Ａの振動により報知を行うモードから、ＬＥＤ８Ｂの発光により報知を行うモードへ変化させる。
【０１１２】
ステップＳ１０７において、プロセッサ１０は、第３列の発電量が閾値以上へ変化していないと判断したとき、処理をステップＳ１０１へ戻す。
【０１１３】
ステップＳ１０８において、プロセッサ１０は、第１列の発電量が閾値以上へ変化した後、所定の時間内に第３列の発電量が閾値以上へ変化したと検知しなかったとき、処理をステップＳ１０１へ戻す。
【０１１４】
第１の実施例および第２の実施例に係る処理は、加速度センサおよびジャイロセンサ等のスマートウォッチ１の姿勢を検出するセンサの信号に応じて実行されてもよい。この場合、例えば、スマートウォッチ１のプロセッサ１０は、加速度センサ５Ｂおよびジャイロセンサ５Ｃの出力信号に基づいて、スマートウォッチ１の位置および姿勢の変化を特定する。そして、プロセッサ１０は、その特定結果に基づいて、例えばディスプレイ２Ｂをユーザの側へ向けるようなスマートウォッチ１の動作を検知したとき、第１の実施例における図５のステップＳ００１以降の処理あるいは第２の実施例における図１２のステップＳ１０１以降の処理を実行する。このような処理によると、本実施例に係るスマートウォッチ１は、ユーザがスマートウォッチ１のディスプレイ２Ｂを見ようとしている状況をより正確に検知することができる。その結果、スマートウォッチ１の誤動作の回数が低減する。よって、消費電力の低減と操作性の向上を実現できる。
【０１１５】
また第１の実施例および第２の実施例に係る処理は、気温に応じて実行されてもよい。手首に装着する機器に備えられた太陽光パネル２Ｃへの光を遮る物体の一例として、ユーザの着用する服の袖１３が考えられる。しかしながら、太陽光パネル２Ｃへの光を服の袖１３が遮る場合とは、当該服が長袖の場合である。従って、薄着になる気温（例えば２５℃以上）のときには、プロセッサ１０は、第１の実施例および第２の実施例に係る処理を実行しなくともよい。これにより不要な処理が削減される。その結果、消費電力が低減する。気温は、スマートウォッチ１が備える温度計で測定してもよいし、通信ユニットによる通信によりインターネットまたは通信可能な別の機器から取得されてもよい。
【０１１６】
また、第１列の太陽光パネル２Ｃへの光と第３列の太陽光パネル２Ｃへの光のうち、どちらかが頻繁に遮られることがなければ、ユーザの着用する服の袖１３は、手首に装着する機器を覆うものではなく、例えば半袖の服などである可能性が高い。そこで、プロセッサ１０は、第１列の太陽光パネル２Ｃへの光と第３列の太陽光パネル２Ｃへの光のうちの片側の光だけ遮られる状態が、所定時間発生していない場合には、第１の実施例および第２の実施例に係る処理を実行しなくともよい。
【０１１７】
また第１の実施例および第２の実施例に係る処理は、時間に応じて実行されてもよい。周囲が明るい状態でなければ、プロセッサ１０は上述の処理を正確に行うことが難しくなる。そこで、プロセッサ１０は、例えば昼間のみ、上述の処理を行ってもよい。
【０１１８】
ステップＳ１０４から所定の時間内にステップＳ１０６へ進んだ場合のみステップＳ１０６の処理が実行されてもよい。つまり、第１列の発電量が第１閾値以上から当該第１閾値未満に変化した後、所定の時間内に第３列の発電量が第２閾値以上から当該第２閾値未満に変化したときのみ、ステップＳ１０６の処理が実行されてもよい。またステップＳ１０７から所定の時間内にステップＳ１０９へ進んだ場合にステップＳ１０９の処理が実行されてもよい。つまり、第３列の発電量が第２閾値未満から当該第２閾値以上に変化した後、所定の時間内に第１列の発電量が第１閾値未満から当該第１閾値以上に変化したときのみ、ステップＳ１０９の処理が実行されてもよい。このように、所定の時間内に第１列および第３列の間で発電量の変化が発生した場合のみディスプレイ２Ｂのオン状態への移行またはオフ実行への移行が実行されることにより、ユーザのディスプレイ２Ｂを見ようとする動作の誤検出の可能性を低減できる。
【０１１９】
上記の実施例で説明した処理は、手首に装着する腕時計型デバイスのスマートウォッチ１で実施されていたが、他の電子機器で実施されてもよい。
【０１２０】
上記の実施例で説明した処理は、例えば図１３に記載のブレスレット型端末１５で実施されてもよい。ブレスレット型端末１５は、フレキシブルディスプレイを用いた円環状の端末である。ブレスレット型端末１４にはベルト１Ｂが存在しない。ブレスレット型端末１５における短手方向とは、ブレスレット型端末１５を腕に装着したときに当該腕の延びる方向である。ブレスレット型端末１５が備える複数の太陽光パネル２Ｃは、太陽光パネル２Ｃａおよび太陽光パネル２Ｃｂの２つを含む。
【０１２１】
また上記の実施例で説明した処理は、例えば図１４に記載のリストバンド型端末１６で実施されてもよい。リストバンド型端末１６は、バンド１Ｂに本体１Ａをはめ込んだ端末である。リストバンド型端末１６は、報知のためのバイブレータ８ＡおよびＬＥＤ８Ｂを有し、ディスプレイ２Ｂを有しない。リストバンド型端末１６が左手に装着されている場合、プロセッサ１０は、照度センサ５Ａａおよび照度センサ５Ａｂの信号に基づき、リストバンド端末１６が袖１３に覆われたと判断したとき、報知の手段を、バイブレータ８ＡおよびＬＥＤ８Ｂの間で切り替えてもよい。
【０１２２】
例えば図１５に記載のフレキシブルディスプレイを用いた巻き取り型端末１７のような端末では、プロセッサ１０は、当該フレキシブルディスプレイのうち、太陽光パネル２Ｃの光を受けた部分に対応する領域のみオン状態へ変化させてもよい。更にそのほか、本開示は、フィーチャーフォン、タブレット端末、ＰＤＡ、デジタルカメラ、音楽プレイヤーおよびゲーム機等に適用することができる。
【０１２３】
本明細書では、添付の請求項に係る技術を完全かつ明瞭に開示するために特徴的な実施例に関し記載してきた。しかし、添付の請求項は、上記の実施例に限定されるべきものでなく、本明細書に示した基礎的事項の範囲内で当該技術分野の当業者が創作しうるすべての変形例及び代替可能な構成により具現化されるべきである。
【符号の説明】
【０１２４】
１  スマートウォッチ
１Ａ  本体
１Ｂ  バンド
１Ｃ  ベゼル
２Ａ  タッチパネル
２Ｂ  ディスプレイ
２Ｃ  太陽光パネル
３  ボタン
４  バッテリ
５Ａ  照度センサ
５Ｂ  加速度センサ
５Ｃ  ジャイロセンサ
６  通信ユニット
７Ａ  マイク
７Ｂ  スピーカ
８Ａ  バイブレータ
８Ｂ  ＬＥＤ
９  ストレージ
９Ａ  制御プログラム
９Ｂ  アプリケーション
９Ｃ  設定情報
９Ｄ  センサ情報
９Ｅ  環境情報
１０  プロセッサ
１２  光
１３  袖
１４  左手
１５  ブレスレット型端末
１６  リストバンド型端末
１７  巻き取り型端末
【図１】
2017204301.tif 000003
【図２】
2017204301.tif 000004
【図３】
2017204301.tif 000005
【図４】
2017204301.tif 000006
【図５】
2017204301.tif 000007
【図６】
2017204301.tif 000008
【図７】
2017204301.tif 000009
【図８】
2017204301.tif 000010
【図９】
2017204301.tif 000011
【図１０】
2017204301.tif 000012
【図１１】
2017204301.tif 000013
【図１２】
2017204301.tif 000014
【図１３】
2017204301.tif 000015
【図１４】
2017204301.tif 000016
【図１５】
2017204301.tif 000017
【国際調査報告】
2017204301.tif 000018
2017204301.tif 000019
2017204301.tif 000020
2017204301.tif 000021